(57)【特許請求の範囲】
【請求項１】
筐体外の外部位置と該筐体内の待機位置とを引き出し自在に設けたベーストレイ上にディスクを載置したサブトレイを上下方向に複数段積みし、且つ、複数の前記サブトレイのうちで所望の該サブトレイを、前記ベーストレイと一体に前記外部位置に引き出す態様と、前記待機位置に待機させる態様と、前記待機位置から前記筐体内の演奏位置に引き出す態様とを選択的に取り得るように構成したディスク自動演奏装置において、
前面の一部を凹ませた凹部にディスクの外周部を臨ませたサブトレイと、
前記サブトレイの凹部と略対応して前面の一部を切り欠いた切欠部に前記ディスクの外周部を臨ませたベーストレイと、
前記ベーストレイの切欠部を覆うようにバネ付勢されながら該ベーストレイに開閉自在に支持されたフロントドアと、
前記ベーストレイの前記外部位置への引き出し動作に連動して前記フロントドアを開蓋するフロントドア開蓋機構部とを具備したことを特徴とするディスク自動演奏装置。
【発明の詳細な説明】
【０００１】
【発明の属する技術分野】
本発明は、ディスク自動演奏装置に関するものである。
【０００２】
【従来の技術】
複数のディスクを連続的に自動演奏できるディスク自動演奏装置は、各種の構造形態が採用されているものの、特開平４−２０５７５５号公報にディスクを載置したサブトレイをベーストレイ上に複数段積みしたものが開示されている。
【０００３】
図８は従来例における一例のディスクプレーヤを説明するための外観斜視図、図９は従来における一例のディスクプレーヤにおいて、ディスクのローディング動作を説明するための図である。
【０００４】
従来例における一例のディスクプレーヤは、特開平４−２０５７５５号公報に開示されており、ここでは図８及び図９を用いて簡略に説明する。
【０００５】
図８に示した如く、ディスクプレーヤ１００は箱状のプレーヤハウジング１０１の前面１０１ａに矩形状の開口部１０１ａがあけられ、この開口部１０１ａにベーストレイ１０２が外部に突出した外部位置と内部に収納した待機位置との間を引き出し自在に設けられている。
【０００６】
また、上記ベーストレイ１０２上にはディスクＤを載置したサブトレイ１０３が上下方向に複数段積みした状態で収納されており、且つ、複数のサブトレイ１０３のうちで所望のサブトレイ１０３はベーストレイ１０２に対して待機位置方向及び後述の再生位置方向に引き出し自在になっている。
【０００７】
更に、図９に示した如く、上記ディスクプレーヤ１００内には、ベーストレイ１０２を外部位置に引き出す動作と連動して待機位置に待機したサブトレイ１０３の左右の側面を支持するように変位するサブトレイホルダ１０４，１０５が設けられている。
【０００８】
また、所望のサブトレイ１０３を待機位置に待機させるためのサブトレイ待機位置係止機構及びサブトレイ選択機構１０６が設けられている。
【０００９】
そして、ディスクＤを載置したサブトレイ１０３は、ベーストレイ１０２と一体に外部位置に突出する態様と、ベーストレイ１０２が外部位置に突出した時にサブトレイホルダ１０４，１０５，サブトレイ待機位置係止機構及びサブトレイ選択機構１０６により待機位置に待機する態様と、待機位置から再生位置に引き出される態様とを取り得るようになっている。
【００１０】
【発明が解決しようとする課題】
ところで、従来のディスクプレーヤ１００では、図９に示したようにベーストレイ１０２の前方部位の左右にディスクＤの外周部を手で掴むための指孔１０２ａが設けられているものの、とくに、下段のサブトレイ１０３上に載置したディスクＤを掴むには指を指孔１０２ａ内の奥深くまで進入させねばならないので、下段のディスクＤを掴みづらいという問題が生じていた。
【００１１】
【課題を解決するための手段】
本発明は上記課題に鑑みてなされたものであり、筐体外の外部位置と該筐体内の待機位置とを引き出し自在に設けたベーストレイ上にディスクを載置したサブトレイを上下方向に複数段積みし、且つ、複数の前記サブトレイのうちで所望の該サブトレイを、前記ベーストレイと一体に前記外部位置に引き出す態様と、前記待機位置に待機させる態様と、前記待機位置から前記筐体内の演奏位置に引き出す態様とを選択的に取り得るように構成したディスク自動演奏装置において、前面の一部を凹ませた凹部にディスクの外周部を臨ませたサブトレイと、前記サブトレイの凹部と略対応して前面の一部を切り欠いた切欠部に前記ディスクの外周部を臨ませたベーストレイと、前記ベーストレイの切欠部を覆うようにバネ付勢されながら該ベーストレイに開閉自在に支持されたフロントドアと、前記ベーストレイの前記外部位置への引き出し動作に連動して前記フロントドアを開蓋するフロントドア開蓋機構部とを具備したことを特徴とするディスク自動演奏装置である。
【００１２】
【発明の実施の形態】
以下に本発明に係わるディスク自動演奏装置の一実施例を図１乃至図７を参照して、＜ディスク自動演奏装置の全体構成＞，＜ベーストレイ＞，＜サブトレイ＞，＜サブトレイ・セレクト機構部＞，＜フロントドア開蓋機構部＞，＜ディスク自動演奏装置の動作＞の順に詳細に説明する。
【００１３】
＜ディスク自動演奏装置の全体構成＞
図１は本発明に係わるディスク自動演奏装置の全体構成を説明するための斜視図、図２（Ａ）〜（Ｄ）は同ディスク自動演奏装置を示した上面図，前面図，左側面図，右側面図である。
【００１４】
図１及び図２に示した如く、本発明に係わるディスク自動演奏装置１は、基台となる筐体２の前方に矩形状の開口部２ａが形成され、且つ、筐体２の上方部位は天板３で覆われている。また、筐体２の開口部２ａ内にベーストレイ１０が筐体２の前方に突出した外部位置と、筐体２内で待機する待機位置との間を引き出し自在に設けられている。
【００１５】
また、ベーストレイ１０の前方部位には、本発明の要部となるフロントドア４がネジリバネ５によって閉蓋方向に付勢されながら軸６を中心に開閉自在に設けられており、このフロントドア４はベーストレイ１０の外部位置への引き出し動作に連動して後述するフロントドア開蓋機構部４０によって開蓋できるようにベーストレイ１０に取り付けられている。
【００１６】
また、上記ベーストレイ１０上には、径１２ｃｍのディスクＤ１又は径８ｃｍのディスクＤ２を載置したサブトレイ１１（１１Ａ〜１１Ｃ）が所定の間隔で段積みして複数組（例えば３組）収納されている。これら複数のサブトレイ１１は、上段のサブトレイ１１Ａ，中段のサブトレイ１１Ｂ，下段のサブトレイ１１Ｃからなり、且つ、各段のサブトレイ１１Ａ〜１１Ｃはベーストレイ１０と一体に筐体２外の外部位置に突出する態様と、ベーストレイ１０が外部位置に突出した時に後述するサブトレイ・セレクト機構部３０により筐体２内の前方の待機位置に待機する態様と、図示しない引き出し手段により待機位置から筐体２内の奥方の演奏位置に引き出される態様とを選択的に取り得るようにベーストレイ１０上を移動自在になっている。
【００１７】
更に、筐体２内の奥方の演奏位置にはディスク演奏部２０が上下動自在に設けられている。このディスク演奏部２０は、モータ２１の軸に固着して回転自在なターンテーブル２２と、ディスクＤ１，Ｄ２の径方向に移動自在な光ピックアップ２３とをベース２４上に取りつけて、演奏位置に選択的に引き出されたサブトレイ１１Ａ〜１１Ｃの高さ位置に応じて一体的に上下動するように構成されている。
【００１８】
＜ベーストレイ＞
図３（Ａ）〜（Ｃ）はベーストレイを説明するための平面図，前面図、右側面図である。
【００１９】
図１，図３に示した如く、ベーストレイ１０は、底板１０ａの周囲を前板１０ｂ，左右の側板１０ｃ，１０ｄで囲み、筐体２内の演奏位置と対向する後方側を開口して樹脂材を用いて一体成形されている。このベーストレイ１０の前板１０ｂの略中央部位には、略円弧状に引っ込んだ凹部（以下、円弧状凹部と記す）１０ｂ１が下方に形成され、この円弧状凹部１０ｂ１の上方に台形状に切り欠かれた切欠部（以下、台形状切欠部と記す）１０ｂ２が形成されている。これらの円弧状凹部１０ｂ１及び台形状切欠部１０ｂ２は、後述するサブトレイ１１の前面１１ｂの略中央部位に略円弧状にに引っ込んだ凹部（以下、円弧状凹部と記す）１１ｂ１と対応している。
【００２０】
そして、ベーストレイ１０の台形状切欠部１０ｂ２には、サブトレイ１１に載置した径１２ｃｍのディスクＤ１の外周部の一部が突出して、ディスクＤ１を手で容易に掴み出すことができるようになっている。この際、ベーストレイ１０の前板１０ｂに形成した円弧状凹部１０ｂ１及び台形状切欠部１０ｂ２を覆うためにフロントドア４がベーストレイ１０の左右の側板１０ｃ，１０ｄに開閉自在に支持されており、このフロントドア４の開閉動作については後述する。
【００２１】
また、ベーストレイ１０の左右の側板１０ｃ，１０ｄの内側には互いに対向してコ字状に形成したガイド溝（以下、コ字状ガイド溝と記す）１０ｃ１，１０ｄ１が３段上下方向に形成されており、これらのコ字状ガイド溝１０ｃ１，１０ｄ１に後述するサブトレイ１１のガイドレール１１ｃ１，１１ｄ１（図４）が引き出し自在に支持されている。この際、ベーストレイ１０に形成したコ字状ガイド溝１０ｃ１，１０ｄ１は、サブトレイ１１のガイドレール１１ｃ１，１１ｄ１（図４）の長さより長く形成され、且つ、右側板１０ｄのコ字状ガイド溝１０ｄ１の方が左側板１０ｃのコ字状ガイド溝１０ｃ１よりも長く形成されている。これにより、ベーストレイ１０が外部位置まで引き出された状態でも、サブトレイ１１がベーストレイ１０に形成した長尺なコ字状ガイド溝１０ｃ１，１０ｄ１によって筐体２内の待機位置で支持されると共に、ベーストレイ１０が筐体２内に収納された状態でサブトレイ１１を待機位置から演奏位置に引き出してもサブトレイ１１が長尺なベーストレイ１０のコ字状ガイド溝１０ｃ１，１０ｄ１によって支持されるようになっている。
【００２２】
また、ベーストレイ１０の前板１０ｂと右側板１０ｄとが交わるコーナの内側にはサブトレイ１１（１１Ａ〜１１Ｃ）を係止するためのサブトレイ係止部材１２が弾性変位自在に各段ごとに計３個取り付けられている。上記サブトレイ係止部材１２は、周知の弾性変位自在な板バネを用いて先端部位を逆ヘ字状に形成している。そして、このサブトレイ係止部材１２に後述するサブトレイ１１に形成したヘ字状の係止爪１１ｆ（図４）が進退自在になっており、ベーストレイ１０対してしてサブトレイ１１の係止爪１１ｆがサブトレイ係止部材１２の付勢力で各段ごとに独立して夫々係止されている。この際、ベーストレイ１０に取り付けたサブトレイ係止部材１２の付勢力は、ベーストレイ１０に係止したサブトレイ１１を筐体２内の待機位置にセレクトする動作又は演奏位置に引き出す動作でベーストレイ１０への係止が解除できる程度に設定されている。  また、ベーストレイ１０の左右の側板１０ｃ，１０ｄの外側下方で底面１０ａを外方に延出してガイド板１０ｃ２（図１に図示せず），１０ｄ２が細い巾で長尺に形成され、これらのガイド板１０ｃ２，１０ｄ２は筐体２内のシャーシ７上で互いに対向して設けたコ字状のベーストレイ・ガイド部材８（図１の左側板側は図示せず）に嵌合しており、これによりベーストレイ１０がシャーシ７上を外部位置方向と筐体２内の待機位置方向とに往復動できるようになっている。ここで、ベーストレイ１０を往復動させる際、シャーシ７上に設けたモータ（図示せず）と連結したピニオンギヤ（図示せず）に、ベーストレイ１０の右側板１０ｄの内側で底面１０ａに形成したラック部１０ａ１を噛合させることで、ベーストレイ１０の駆動力を得ているものの、手動でもベーストレイ１０を往復動できるようにモータ（図示せず）とピニオンギヤ（図示せず）間の減速比を適宜設定している。
【００２３】
＜サブトレイ＞
図４（Ａ）〜（Ｃ）はサブトレイを説明するための平面図，前面図、右側面図である。
【００２４】
図１，図４に示した如く、サブトレイ１１（１１Ａ〜１１Ｃ）は、樹脂材を用いて略矩形板状に一体成形されている。このサブトレイ１１の上面１１ａ側には、径１２ｃｍのディスクＤ１を載置する大円形凹部１１ａ１と、この大円形凹部１１ａ１と同心的に一段下がって径８ｃｍのディスクＤ２を載置する小円形凹部１１ａ２と、略中央部から大円形凹部１１ａ１にかけて貫通してディスク演奏部２０が進退するための逃げ孔１１ａ３と、大円形凹部１１ａ１と小円形凹部１１ａ２との間にかけて貫通して径８ｃｍのディスクＤ２を手で掴み出すための指孔１１ａ４とが形成されている。
【００２５】
また、サブトレイ１１の前面１１ｂの略中央部位には、略円弧状に引っ込んだ円弧状凹部１１ｂ１が形成され、この円弧状凹部１１ｂ１に径１２ｃｍのディスクＤ１の外周部の一部が突出して、前述したベーストレイ１０の台形状切欠部１０ｂ２からディスクＤ１を手で容易に掴み出すことができるようになっている。
【００２６】
また、サブトレイ１１の左右の側面１１ｃ，１１ｄには、前述したベーストレイ１０のコ字状ガイド溝１０ｃ１，１０ｄ１にガイドされるガイドレール１１ｃ１，１１ｄ１が側面１１ｃ，１１ｄに沿って細長く形成されている。
【００２７】
また、サブトレイ１１の前面１１ｂで右側面１１ｄ側に凹部１１ｂ２が略矩形状に切り欠かれており、更に、前面１１ｂと右側面１１ｄとが交わるコーナ近傍に前述したベーストレイ１０のサブトレイ係止部材１２に係止されるヘ字状の係止爪１１ｆが凹部１１ｂ２内に突出するように形成されている。
【００２８】
更に、サブトレイ１１の後面１１ｅで右側面１１ｄ側に凹部１１ｅ１が略矩形状に切り欠かれており、この凹部１１ｅ１内にボス１１ｇが突出して形成されている。上記サブトレイ１１のボス１１ｇは図示しない引き出し手段によってサブトレイ１１を筐体２内の待機位置から演奏位置に引き出すためのものである。
【００２９】
＜サブトレイ・セレクト機構部＞
図５はサブトレイ・セレクト機構部の動作を説明するための前面図である。
【００３０】
図１に示した如く、サブトレイ・セレクト機構部３０は、筐体２内に複数のサブトレイ１１の高さ位置に応じて回動変位可能に設けられ、且つ、ベーストレイ１０内のサブトレイ係止部材１２に係止された複数のサブトレイ１１のうちで所望の段以上のサブトレイを、ベーストレイ１０の外部位置への引き出し動作に伴ってサブトレイ係止部材１２の係止を解除して待機位置に待機させるようにセレクトする機能を備えている。
【００３１】
即ち、上記サブトレイ・セレクト機構部３０は、筐体２内でベーストレイ１０の左側板１０ｃ及びサブトレイ１１の左側面１１ｃ側並びに天板３の裏面側に設けられている。
【００３２】
また、サブトレイ・セレクト機構部３０は、天板３の裏面に回動自在に支持したサブトレイ・セレクタ３１と、このサブトレイ・セレクタ３１を付勢するネジリバネ３２と、サブトレイ・セレクタ３１の回動変位の位置を３枚のサブトレイ１１Ａ〜１１Ｃの高さ位置に応じて規制する摺動自在なカム板３３とで構成されている。
【００３３】
まず、サブトレイ・セレクタ３１は、天板３の裏面に回動可能に支持される前後端の軸部３１ａ，３１ａと、後端側の軸部３１ａの内側に形成されてカム板３３に当接するカム当接アーム部３１ｂと、カム当接アーム部３１ｂと軸３１ａを介して反対方向に突出し、且つ、前端側の軸部３１ａの内側に形成されてベーストレイ１０に係止されているサブトレイ１１（１１Ａ〜１１Ｃ）のうちで所望のサブトレイ１１を筐体２内の待機位置に選択的にセレクトするセレクタアーム部３１ｃとで一体的に形成されている。この際、セレクタアーム部３１ｃは、ベーストレイ１０が筐体２内に収納された時に、ベーストレイ１０，サブトレイ１１の左側面１０ｃ，１１ｃの外側から内側に突出して、ベーストレイ１０の前板１０ｂの裏面と、サブトレイ１１の前面１１ｂとの間を進退できるように設けられている。これにより、後述するようにベーストレイ１０が外部位置に引き出される動作に伴って、ベーストレイ１０に係止されたサブトレイ１１の前面１１ｂにサブトレイ・セレクタ３１のセレクタアーム部３１ｃが当接するので、サブトレイ１１が係止を解除されて筐体２内の待機位置に置かれたままとなる。
【００３４】
また、ネジリバネ３２は、サブトレイ・セレクタ３１の両端の軸部３１ａを中心にセレクタアーム部３１ｃが上方に退避方向する方向（反時計方向）に付勢している。
【００３５】
更に、カム板３３は、図示しないサブトレイ選択釦で所望のサブトレイ１１を選択した時に矢印方向（図１参照）に摺動自在に設けられている。このカム板３３には、高さが低いカム面３３ａの両側に高さが中程度のカム面３３ｂと高さが高いカム面３３ｃが連接して形成され、これらのカム面３３ａ〜３３ｃにサブトレイ・セレクタ３１のカム当接アーム部３１ｂが選択的に当接するようになっている。
【００３６】
そして、図５（Ａ）に示したように、初期状態の場合又はベーストレイ１０に３枚のサブトレイ１１Ａ〜１１Ｃを係止した状態でこのままベーストレイ１０を外部位置に引き出して、上段のサブトレイ１１Ａに載置したディスクＤ１，Ｄ２を交換する場合には、サブトレイ・セレクタ３１のカム当接アーム部３１ｂをカム板３３の高さが低いカム面３３ａと対応させれば、サブトレイ・セレクタ３１のセレクタアーム部３１ｃが軸部３１ａを中心にネジリバネ３２の付勢力で上段のサブトレイ１１Ａの前面１１ｂの上方に退避するので、３枚のサブトレイ１１Ａ〜１１Ｃはそのまま外部位置に引き出される。
【００３７】
また、図５（Ｂ）に示したように、ベーストレイ１０に係止した３枚のサブトレイ１１Ａ〜１１Ｃのうちで上段のサブトレイ１１Ａのみを待機位置に待機させ、一方、中段，下段のサブトレイ１１Ｂ，１１Ｃをベーストレイ１０と一体に外部位置に引き出す場合には、サブトレイ・セレクタ３１のカム当接アーム部３１ｂをカム板３３の高さが中程度のカム面３３ｂと対応させれば、ベーストレイ１０の引き出し動作によってサブトレイ・セレクタ３１のセレクタアーム部３１ｃがネジリバネ３２の付勢力に抗して上段のサブトレイ１１Ａの前面１１ｂに当接するので、上段のサブトレイ１１Ａのみを筐体内の待機位置にセレクトできる。
【００３８】
また、図５（Ｃ）に示したように、ベーストレイ１０に係止した３枚のサブトレイ１１Ａ〜１１Ｃのうちで上段，中段のサブトレイ１１Ａ，１１Ｂを待機位置に待機させ、一方、下段のサブトレイ１１Ｃをベーストレイ１０と一体に外部位置に引き出す場合には、サブトレイ・セレクタ３１のカム当接アーム部３１ｂをカム板３３の高さが高いカム面３３ｃと対応させれば、ベーストレイ１０の引き出し動作によってサブトレイ・セレクタ３１のセレクタアーム部３１ｃがネジリバネ３２の付勢力に抗して所望の段以上となる上段，中段のサブトレイ１１Ａ，１１Ｂの前面１１ｂに当接するので、上段，中段のサブトレイ１１Ａ，１１Ｂを筐体内の待機位置にセレクトできる。
【００３９】
上記により、サブトレイ・セレクト機構部３０は、従来例に比べて簡単な構造でサブトレイ１１を筐体２内の待機位置に待機させることができ、且つ、サブトレイ１１のセレクト動作を簡素化できると共に、装置１の部品点数の削減が可能となる。
【００４０】
＜フロントドア開蓋機構部＞
図６はフロントドア開蓋機構部の動作を説明するための側面図である。
【００４１】
図１及び図６に示した如く、フロントドア開蓋機構部４０は、ベーストレイ１０の前板１０ｂの一部を切り欠いた台形状切欠部１０ｂ２にサブトレイ１１上のディスクＤ１の外周部を臨ませて、この台形状切欠部１０ｂ２を覆うようにバネ付勢されながらベーストレイ１０に開閉自在に支持したフロントドア４を、ベーストレイ１０の外部位置への引き出し動作に連動して開蓋する機能を備えている。
【００４２】
即ち、上記フロントドア開蓋機構部４０は、ベーストレイ１０の右側板１０ｄ及び天板３の裏面側に設けられている。
【００４３】
また、フロントドア開蓋機構部４０は、ベーストレイ１０の右側板１０ｄにスライド板４１が右側板１０ｄと一体に上下に形成したガイド壁１０ｄ３，１０ｄ４に案内されて矢印方向に摺動自在に設けられている。このスライド板４１の前方部位には、フロントドア４の右側面４ａに設けた円形ボス４ａ１をネジリバネ５に抗して軸６を中心に上方に押し上げるテーパカム面４１ａと、このテーパカム面４１ａの上部と連接した平行カム面４１ｂとが形成されている。また、スライド板４１の後方部位には、平行カム面４１ｂより一段下がってラック部４１ｃが形成されている。
【００４４】
また、ベーストレイ１０の右側板１０ｄに設けた軸４２には、小歯車部４３ａと大歯車部４３ｂとを同軸的に一体形成した複合歯車４３が回転可能に支持されている。この際、複合歯車４３の小歯車部４３ａはスライド板４１のラック部４１ｃに噛合し、一方、大歯車部４３ｂは天板３の裏面に形成したラック部３ａに噛合している。従って、ベーストレイ１０の外部位置への引き出し動作に伴って複合歯車４３が回転できるようになっている。
【００４５】
そして、図６（Ａ）に示した状態は、ベーストレイ１０が筐体内に収納されており、且つ、この状態でベーストレイ１０の前面側に設けたフロントドア４はネジリバネ５によって閉蓋方向に付勢されながら軸６を中心に閉蓋されている。一方、ベーストレイ１０の右側板１０ｄに摺動自在に設けたスライド板４１は、フロントドア４に当接することなく図示右方の奥方に退避している。
【００４６】
次に、図６（Ｂ）に示した如く、ベーストレイ１０を筐体外の外部位置に引き出す動作に伴って、天板３の裏面に形成したラック部３ａと噛合した大歯車部４３ｂが回転するので、これと一体な小歯車部４３ａも回転し、この小歯車部４３ａにスライド板４１のラック部４１ｃが噛合しているので、スライド板４１は図示左方の前方に摺動する。そして、スライド板４１の前方部位に形成したテーパカム面４１ａでフロントドア４の右側面４ａに設けた円形ボス４ａ１をネジリバネ５に抗して軸６を中心に徐々に上方に押し上げ、円形ボス４ａ１を平行カム面４１ｂに至るまで押し上げると、フロントドア４が完全に開蓋される。
【００４７】
これにより、ベーストレイ１０が外部位置に引き出された時に、サブトレイ１１上のディスクＤ１の外周部を手で容易に掴むことができると共に、とくに、従来例に比べて下段のサブトレイ１１Ｃ上のディスクＤ１に対してより一層掴み易くなる。
【００４８】
＜ディスク自動演奏装置の動作＞
図７は本発明に係わるディスク自動演奏装置の動作を説明するための側面図である。
【００４９】
まず、図７（Ａ）に示した状態は、ディスク自動演奏装置１が初期状態であり、ベーストレイ１０が筐体内の収納されている状態である。また、ディスクＤ１を載置した３枚のサブトレイ１１Ａ〜１１Ｃはベーストレイ１０上に係止された状態で筐体内の待機位置で待機している。一方、ディスクＤ１を演奏するためのディスク演奏部２０は筐体内の演奏位置で下方に下がった位置で待機している。
【００５０】
次に、図７（Ｂ）に示した状態は、下段のサブトレイ１１Ｃをベーストレイ１０に係止した状態でベーストレイ１０を筐体外の外部位置まで引き出して、ここで下段のサブトレイ１１Ｃに載置したディスクＤ１を交換可能にし、中段のサブトレイ１１Ｂを筐体内の待機位置で待機させると共に、上段のサブトレイ１１Ａを筐体内の演奏位置まで引き出して、この上段のサブトレイ１１Ａと対応する位置までディスク演奏部２０Ｃを上昇させた状態を示している。
【００５１】
次に、図７（Ｃ）に示した状態は、ベーストレイ１０と一体に上段，中段のサブトレイ１１Ａ，１１Ｂを筐体外の外部位置まで引き出し、且つ、下段のサブトレイ１１Ｃを筐体内の演奏位置まで引き出して、この上段のサブトレイ１１Ｃと対応する位置までディスク演奏部２０Ｃを下降させた状態を示している。
【００５２】
次に、図７（Ｄ）に示した状態は、ベーストレイ１０と一体に３枚のサブトレイ１１Ａ〜１１Ｃを筐体外の外部位置まで引き出し、ここで上段のサブトレイ１１Ａに載置したディスクＤ１を交換可能にした状態である。
【００５３】
【発明の効果】
以上詳述した本発明に係わるディスク自動演奏装置によると、ベーストレイの前面の一部を切り欠いた切欠部にサブトレイ上のディスクの外周部を臨ませて、この切欠部を覆うようにバネ付勢されながらベーストレイに開閉自在に支持したフロントドアを、ベーストレイの外部位置への引き出し動作に連動してフロントドア開蓋機構部により開蓋しているので、ベーストレイが外部位置に引き出された時にサブトレイ上のディスクの外周部を手で容易に掴むことができると共に、とくに、従来例に比べて下段のサブトレイ上のディスクに対してより一層掴み易くなる。
【図面の簡単な説明】
【図１】本発明に係わるディスク自動演奏装置の全体構成を説明するための斜視図である。
【図２】（Ａ）〜（Ｄ）は本発明に係わるディスク自動演奏装置を示した上面図，前面図，左側面図，右側面図である。
【図３】（Ａ）〜（Ｃ）はベーストレイを説明するための平面図，前面図、右側面図である。
【図４】（Ａ）〜（Ｃ）はサブトレイを説明するための平面図，前面図、右側面図である。
【図５】サブトレイ・セレクト機構部の動作を説明するための前面図である。
【図６】フロントドア開蓋機構部の動作を説明するための側面図である。
【図７】本発明に係わるディスク自動演奏装置の動作を説明するための側面図である。
【図８】従来例における一例のディスクプレーヤを説明するための外観斜視図である。
【図９】従来における一例のディスクプレーヤにおいて、ディスクのローディング動作を説明するための図である。
【符号の説明】
１…ディスク自動演奏装置、２…筐体、４…フロントドア、５…ネジリバネ、１０…ベーストレイ、１０ｂ…前板、１０ｂ２…切欠部（台形状切欠部）、１０ｃ，１０ｄ…側板、１０ｃ１，１０ｄ１…ガイド溝（コ字状ガイド溝）、１１（１１Ａ〜１１Ｃ）…サブトレイ、１１ｂ…前面、１１ｂ１…凹部（円弧状凹部）、１１ｆ…係止爪、１２…サブトレイ係止部材、３０…サブトレイ・セレクト機構部、３１…サブトレイ・セレクタ、４０…フロントドア開蓋機構部、Ｄ１，Ｄ２…ディスク。
【図１】
0003642329.tif 000002
【図２】
0003642329.tif 000003
【図３】
0003642329.tif 000004
【図４】
0003642329.tif 000005
【図５】
0003642329.tif 000006
【図６】
0003642329.tif 000007
【図７】
0003642329.tif 000008
【図８】
0003642329.tif 000009
【図９】
0003642329.tif 000010